(57)【要約】【課題】データの変換・転送効率を向上させることが可能な電子機器システムおよびカメラシステムを提供する。【解決手段】カメラ本体と、カメラ本体に着脱自在に装着されるレンズユニットからなるデジタルカメラにおいて、まず、レンズユニットは、カメラ本体から通知された転送データ形式（“ＹＣ”または“圧縮”）を受信し、メモリ部に格納されているＲＡＷデータを分割するブロックサイズを決定する。レンズユニットは、決定したブロックサイズをカメラ本体に通知しておき、ＲＡＷデータをブロックごとに変換処理を施し、変換処理を行っている間に、変換処理が完了したブロックから順次に、カメラ本体へシリアル転送する。カメラ本体は、受信したブロックのデータを、上記ブロックサイズに基づいて、メモリ部へＤＭＡ転送する。【選択図】図６
2007142559.tif 000002
【特許請求の範囲】
【請求項１】
データを格納する第１記憶手段と、この第１記憶手段に格納された前記データに変換処理を施す変換処理手段と、この変換処理手段によって変換された前記データを転送する第１通信手段とを有する第１電子機器、および、前記第１通信手段から転送された前記データを受信する第２通信手段と、この第２通信手段が受信した前記データを格納する第２記憶手段とを有する第２電子機器からなる電子機器システムにおいて、
前記変換処理手段は、前記第１メモリに格納された前記データを所定サイズのブロックごとに変換処理を施し、前記第１通信部は、前記変換処理手段が変換処理を行っている間に、変換処理が完了したブロックから順次に転送を行うことを特徴とする電子機器システム。
【請求項２】
前記第１メモリに格納された前記データの総変換処理時間、総転送処理時間、および、前記変換処理の各ブロック間に要される準備処理時間に基づき、前記データの変換開始から転送終了までに要される時間を最小にするように前記所定サイズを決定するブロックサイズ決定手段を設けたことを特徴とする請求項１記載の電子機器システム。
【請求項３】
前記ブロックサイズ決定手段は、決定したブロックサイズを、前記データの転送の前に、前記第２電子機器に通知することを特徴とする請求項２記載の電子機器システム。
【請求項４】
前記第２通信部は、前記第２記憶手段に対してＤＭＡ転送を行うように構成され、ＤＭＡ転送に適したブロックサイズを前記所定サイズとするように、前記第１電子機器に通知することを特徴とする請求項１記載の電子機器システム。
【請求項５】
前記第１通信手段および第２通信手段は、シリアル回線により接続されていることを特徴とする請求項１ないし４いずれか記載の電子機器システム。
【請求項６】
請求項１ないし５いずれか記載の電子機器システムにおいて、前記第１電子機器は、レンズおよび撮像素子を備え、かつ前記データとして画像データを生成するレンズユニットであり、前記第２電子機器は、前記レンズユニットが着脱自在に装着されるカメラ本体であることを特徴とするカメラシステム。
【請求項７】
前記変換処理手段は、前記画像データをＹＣ変換することを特徴する請求項６記載のカメラシステム。
【請求項８】
前記変換処理手段は、前記画像データに圧縮処理を施すことを特徴とする請求項７記載のカメラシステム。
【請求項９】
前記レンズユニットは、前記カメラ本体からの要求に基づき、前記画像データを、ＹＣデータまたは圧縮データとして前記カメラ本体に転送することを特徴とする請求項８記載のカメラシステム。
【発明の詳細な説明】
【技術分野】
【０００１】
本発明は、２つの電子機器の間でデータを送受信する電子機器システムおよびカメラシステムに関する。
【背景技術】
【０００２】
近年、ＣＣＤイメージセンサなどの固体撮像素子によって撮像された画像データを記録するデジタルカメラが一般に普及している。このデジタルカメラとして、撮影レンズおよび固体撮像素子を備え、画像データを取得するレンズユニットが、画像データの画像処理や記録、表示などを行うカメラ本体に着脱自在に装着されるように構成された、レンズユニット交換型のカメラシステムが知られている（例えば、特許文献１，２参照）。
【０００３】
特許文献１では、装着されているレンズユニットの種類をカメラ本体が把握するために、電源投入時にカメラ本体がレンズユニットからレンズユニットの構成要素となる各種パラメータを取得する技術が開示されている。また、特許文献２では、カメラ本体がレンズユニットから上記パラメータを取得し、このパラメータに基づいて画像データの処理を行う技術が開示されている。
【特許文献１】特開２０００−５０１３８号公報
【特許文献２】特開平１０−１９１１２２号公報
【発明の開示】
【発明が解決しようとする課題】
【０００４】
上記特許文献１，２のデジタルカメラは、撮影によって得られた画像データをレンズユニットからカメラ本体へ転送するカメラシステムとして構成されているが、データの変換・転送効率を向上させる手段はなんら備えていない。つまり、従来のカメラシステムは、レンズユニットにおいて取得した１画面分のＣＣＤ−ＲＡＷデータ（以下、単にＲＡＷデータと称する）を、完全にＹＣデータに変換した後、カメラ本体に転送するように構成されている。
【０００５】
本発明は、上記事情に鑑みてなされたものであり、データの変換・転送効率を向上させることが可能な電子機器システムおよびカメラシステムを提供することを目的とする。
【課題を解決するための手段】
【０００６】
上記課題を解決するために、電子機器システムは、データを格納する第１記憶手段と、この第１記憶手段に格納された前記データに変換処理を施す変換処理手段と、この変換処理手段によって変換された前記データを転送する第１通信手段とを有する第１電子機器、および、前記第１通信手段から転送された前記データを受信する第２通信手段と、この第２通信手段が受信した前記データを格納する第２記憶手段とを有する第２電子機器からなる電子機器システムにおいて、前記変換処理手段は、前記第１メモリに格納された前記データを所定サイズのブロックごとに変換処理を施し、前記第１通信部は、前記変換処理手段が変換処理を行っている間に、変換処理が完了したブロックから順次に転送を行うことを特徴とする。
【０００７】
なお、前記第１メモリに格納された前記データの総変換処理時間、総転送処理時間、および、前記変換処理の各ブロック間に要される準備処理時間に基づき、前記データの変換開始から転送終了までに要される時間を最小にするように前記所定サイズを決定するブロックサイズ決定手段を設けたことが好ましい。
【０００８】
また、前記ブロックサイズ決定手段は、決定したブロックサイズを、前記データの転送の前に、前記第２電子機器に通知することが好ましい。
【０００９】
また、前記第２通信部は、前記第２記憶手段に対してＤＭＡ転送を行うように構成され、ＤＭＡ転送に適したブロックサイズを前記所定サイズとするように、前記第１電子機器に通知するようにしてもよい。
【００１０】
また、前記第１通信手段および第２通信手段は、シリアル回線により接続されていることが好ましい。
【００１１】
本発明のカメラシステムは、上記いずれかの電子機器システムにおいて、前記第１電子機器は、レンズおよび撮像素子を備え、かつ前記データとして画像データを生成するレンズユニットであり、前記第２電子機器は、前記レンズユニットが着脱自在に装着されるカメラ本体であることを特徴とする。
【００１２】
なお、前記変換処理手段は、前記画像データをＹＣ変換することが好ましい。また、前記変換処理手段は、前記画像データに圧縮処理を施すことが好ましい。
【００１３】
また、前記レンズユニットは、前記カメラ本体からの要求に基づき、前記画像データを、ＹＣデータまたは圧縮データとして前記カメラ本体に転送することが好ましい。
【発明の効果】
【００１４】
本発明の電子機器システムによれば、データを所定サイズのブロックごとに変換処理を施し、変換処理を行っている間に、変換処理が完了したブロックから順次に転送を行うので、データの変換開始から転送終了までに要される時間を短縮し、データの変換・転送効率を向上させることができる。
【００１５】
また、データの変換開始から転送終了までに要される時間を最小にするように上記所定サイズを決定するブロックサイズ決定手段を設けることにより、データの変換・転送効率をさらに向上させることができる。また、ブロックサイズ決定手段が決定したブロックサイズを、データ転送の前に第２電子機器に通知することにより、第２電子機器は、通知されたブロックサイズに基づき、効率よく第２メモリ部へデータ転送を行うことができる。
【００１６】
また、前記第１通信手段および第２通信手段は、シリアル回線により接続されているので、第１電子機器と第２電子機器との間の接点数を最小限に抑えることができる。
【発明を実施するための最良の形態】
【００１７】
図１において、デジタルカメラ１０は、カメラ本体１１とレンズユニット１２とから構成されたカメラシステムであり、レンズユニット１２は、カメラ本体１１に着脱自在に装着される。
【００１８】
レンズユニット１２の前面には、撮影レンズ１３が露呈されており、背面にはマウント部１４が設けられている。このマウント部１４は、３つのバヨネット爪１５を備え、これらが外周に沿って等間隔に配置されている。また、このレンズユニット１２内には、撮影レンズ１３によって結像された被写体像を撮像する固体撮像素子であるＣＣＤイメージセンサ（以下、単にＣＣＤと称する）１６が設けられている。
【００１９】
また、カメラ本体１１の前面には、マウント部１８が設けられている。このマウント部１８は、３つのバヨネット溝１９を備えており、これらは外周に沿って等間隔に配置されている。バヨネット爪１５をバヨネット溝１９に位置合わせして押し込み、レンズユニット１２を時計回りに回転させることによって、レンズユニット１２がカメラ本体１１に装着される。
【００２０】
なお、レンズユニット１２としては、撮影レンズ１３の焦点距離が異なるものや、ＣＣＤ１６の画素数が異なるもの、モノクロ撮影が可能なもの、赤外線撮影が可能なものなど、各種タイプが交換可能に用意される。
【００２１】
マウント部１８には、ロックピン２０が設けられており、レンズユニット１２がカメラ本体１１に装着された時に、このロックピン２０が、レンズユニット１２の背面に形成されたピン孔（図示せず）と係合して、レンズユニット１２の回転がロックされる。これにより、レンズユニット１２が回転してカメラ本体１１から脱落することが防止される。
【００２２】
また、マウント部１８には、前方に向かってバネ付勢されたマウント蓋２１が設けられており、これは、レンズユニット１２が装着されていないときにカメラ本体１１内に塵埃が侵入することを防止している。
【００２３】
マウント部１８の近傍には、ロック解除ボタン２２が設けられている。レンズユニット１２がカメラ本体１１に装着された状態で、このロック解除ボタン２２が押圧操作されると、この操作に連動してロックピン２０が後方に移動し、ロックピン２０とピン孔（図示せず）との係合が解除される。ロック解除ボタン２２を押圧しながら、レンズユニット１２を反時計回りに回転させることによって、レンズユニット１２をカメラ本体１１から取り外すことができる。
【００２４】
カメラ本体１１の前面上部には、ストロボ２４が設けられている。また、カメラ本体１１の上面には、撮影を行う際に押圧操作されるシャッタボタン２５、および、撮影モードと再生モードとを切り替える際に回転操作される切り替えダイヤル２６が設けられている。さらに、カメラ本体１１の背面には、電源スイッチ７２、および画像表示装置としてのＬＣＤ（Liquid Crystal Display）６７が設けられている（図４参照）。
【００２５】
前述のバヨネット爪１５の背面には、図２に示すように、マウント接点３０が設けられている。このマウント接点３０は、２４個の接点ＰＬ１〜ＰＬ２４で構成され、各バヨネット爪１５に８個ずつ設けられている。
【００２６】
また、マウント部１８には、図３に示すように、マウント接点３１が設けられている。このマウント接点３１は、前述のマウント接点３０と同様に、２４個の接点ＰＢ１〜ＰＢ２４で構成され、各接点ＰＢ１〜ＰＢ２４は、レンズユニット１２がカメラ本体１１に装着された際に、接点ＰＬ１〜ＰＬ２４の各々と接続される位置に配置されている。
【００２７】
次に、レンズユニット１２の電気的構成について説明する。図４において、レンズユニット１２には、ユニット内の各部を制御するユニット制御部４０が設けられている。メモリ部（第１記憶手段）４１は、制御プログラムが記憶されたＲＯＭ４１ａと、画像データおよび作業用データを一時的に記憶するＲＡＭ４１ｂとからなる。ユニット制御部４０は、この制御プログラムに基づき、バス４２を介して各部を制御する。
【００２８】
撮影レンズ１３の後方に設けられたＣＣＤ１６は、タイミングジェネレータ（ＴＧ）４３によって駆動される。ＣＣＤ１６は、撮影レンズ１３によって結像された被写体像を光電変換によって電気信号に変換し、撮像信号を出力する。また、ＣＣＤ１６は、Ｒ（赤）、Ｇ（緑）、Ｂ（青）の原色カラーフィルタが積層された有効画素領域と、遮光されたオプティカルブラック（ＯＢ）領域とを有し、撮像信号には、有効画素領域からのＲＧＢ色信号と、ＯＢ領域からのノイズ信号とが含まれている。ＣＣＤ１６から出力された撮像信号は、アナログ信号処理部４４に入力される。
【００２９】
アナログ信号処理部４４は、相関二重サンプリング回路（ＣＤＳ）やオートゲインコントロール・アンプ（ＡＧＣ）などを備え、入力された撮像信号に対して雑音除去や増幅処理を施す。アナログ信号処理部４４から出力された撮像信号は、Ａ／Ｄ変換器４５に入力される。Ａ／Ｄ変換器４５は、入力されたアナログの撮像信号を、所定のビット数のデジタル信号に変換し、画像データとして出力する。この画像データは、ＲＡＷデータであり、バス４２を介して一旦、メモリ部４１のＲＡＭ４１ｂに格納される。なお、アナログ信号処理部４４およびＡ／Ｄ変換器４５は、ＴＧ４３によって駆動され、ＣＣＤ１６の動作と同期が取られている。
【００３０】
ＡＥ／ＡＦ検出部４６は、ＲＡＭ４１ｂに格納された画像データに基づき、露出が最適となるＡＥ評価値を算出して、これをユニット制御部４０に入力する。また、ＡＥ／ＡＦ検出部４６は、画像データの高周波成分を積分してＡＦ評価値を算出し、これをユニット制御部４０に入力する。ユニット制御部４０は、ＡＥ評価値に基づいて、ＣＣＤ１６の電子シャッタ速度および絞り（図示せず）を制御し、ＡＥ動作を行う。また、ユニット制御部４０は、ＡＦ検出値に基づいて、撮影レンズ１３のレンズモータ（図示せず）を制御し、ＡＦ動作を行う。
【００３１】
デジタル信号処理部（変換処理手段）４７は、ＲＡＭ４１ｂに格納された画像データ（ＲＡＷデータ）に所定のデジタル信号処理を施し、輝度信号（Ｙ）と色差信号（Ｃｂ，Ｃｒ）とからなるＹＣデータとして出力、あるいは、ＪＰＥＧなどの圧縮データとして出力する。デジタル信号処理部４７がＹＣデータ、あるいは圧縮データのいずれを出力するかは、カメラ本体１１側からの要求に基づく。
【００３２】
図５に示すように、デジタル信号処理部４７は、オフセット補正部４８、ホワイトバランス（ＷＢ）補正部４９、ガンマ補正部５０、ＲＧＢ補間処理回路５１、ＹＣ変換部５２、および圧縮処理部５３からなる。
【００３３】
オフセット補正部４８は、ＲＡＷデータに対して、ＲＧＢ色信号からノイズ信号を減算するオフセット補正を行い、ＲＧＢ色信号のみとする。ＷＢゲイン補正部４９はオフセット補正部４８から出力されたＲＧＢ色信号の各色のバランスをゲイン補正し、被写体の白色が正確に再現されるようにＷＢ補正を行う。ガンマ補正部５０は、ＷＢゲイン補正部４９から出力されたＲＧＢ色信号を、所定のガンマ変換パラメータに従って階調変換する。
【００３４】
ＲＧＢ補間処理回路５１は、ガンマ補正部５０から出力されたＲＧＢ色信号を補間演算して、各画素位置に対してＲＧＢの３色の信号を生成し、ＲＧＢ色信号を完全なカラー画像データとする。ＹＣ変換部５２は、例えば、次の変換式を利用して、ＲＧＢのカラー画像データをＹＣデータに変換する。
【００３５】
Ｙ＝０．２９９Ｒ＋０．５８７Ｇ＋０．１１４Ｂ−１２８
Ｃｂ＝−０．１６６７Ｒ−０．３３１３Ｇ＋０．５Ｂ＋１２８
Ｃｒ＝０．５Ｒ−０．４１８７Ｇ−０．０８１３Ｂ＋１２８
【００３６】
ＹＣ変換部５２から出力されたＹＣデータは、そのまま出力されてＲＡＭ４１ｂに格納されるか、あるいは、圧縮処理部５３に入力される。圧縮処理部５３は、入力されたＹＣデータをＪＰＥＧなどの圧縮形式に基づいて圧縮処理を行う。圧縮処理部５３から出力された圧縮データは、ＲＡＭ４１ｂに格納される。
【００３７】
なお、詳しくは後述するが、このデジタル信号処理部４７によるＲＡＷデータからＹＣデータまたは圧縮データへの変換は、ユニット制御部４０からの制御に基づいて、所定サイズのブロック単位で行われ、この変換処理と並行して、変換が終了した各ブロックのデータが、シリアル通信部（第１通信手段）５４により、マウント接点３０を介してカメラ本体１１に転送される。
【００３８】
シリアル通信部５４は、転送対象のデータをパラレル信号からシリアル信号に変換してカメラ本体１１に送信し、また、カメラ本体１１から転送されたデータを受信し、シリアル信号からパラレル信号に変換する。シリアル通信部５４は、ＬＶＤＳ（Low Voltage Differential Signaling）方式およびＵＡＲＴ（Universal Asynchronous Receiver Transmitter）方式により構成されており、後述するカメラ本体１１のシリアル通信部（第２通信手段）６３と、マウント接点３０，３１を介してシリアル回線により接続されている。なお、ＬＶＤＳは、画像データの転送に用いられ、また、ＵＡＲＴは、制御信号の転送に用いられる。
【００３９】
さらに、マウント接点３０には、電源制御部５５およびＤＣ／ＤＣコンバータ５６が接続されている。ＤＣ／ＤＣコンバータ５６は、マウント接点３０を介してカメラ本体１１から給電される。電源制御部５５は、ＤＣ／ＤＣコンバータ５６を制御して、カメラ本体１１から供給される電圧を所定値まで降圧させて、レンズユニット１２内の各部に供給させる。
【００４０】
次に、カメラ本体１１の電気的構成について説明する。カメラ本体１１には、本体内の各部を制御する本体制御部６０が設けられている。メモリ部（第２記憶手段）６１は、制御プログラムが記憶されたＲＯＭ６１ａと、画像データおよび作業用データを一時的に記憶するＲＡＭ６１ｂとからなる。本体制御部６０は、この制御プログラムに基づき、バス６２を介して各部を制御する。
【００４１】
シリアル通信部６３は、マウント接点３１に接続されており、転送対象のデータをパラレル信号からシリアル信号に変換してレンズユニット１２に送信し、また、レンズユニット１２から転送されたデータを受信し、シリアル信号からパラレル信号に変換する。このシリアル通信部６３は、前述のシリアル通信部５４と同様に、ＬＶＤＳ方式およびＵＡＲＴ方式により構成されている。
【００４２】
また、シリアル通信部６３は、メモリ部６１に対してＤＭＡ（Direct Memory Access）転送を行うように構成され、シリアル通信部６３が受信した画像データは、ＤＭＡ転送よって、本体制御部６０を介さずにメモリ部６１のＲＡＭ６１ｂに転送される。
【００４３】
圧縮伸張処理部６４は、レンズユニット１２から受信した画像データがＹＣデータである場合に、ＪＰＥＧなどの方式で圧縮処理を施す。また、この圧縮伸張処理部６４は、後述する記録メディア６５に記録された画像データを再生する場合に、その画像データが圧縮されていれば伸長処理を施す。
【００４４】
ＬＣＤドライバ６６には、レンズユニット１２から受信したスルー画用の画像データや、記録メディア６５に記録された画像データが入力され、ＬＣＤ６７にスルー画や、再生画像を表示させる。
【００４５】
メディアコントローラ６８は、レンズユニット１２から受信した記録用の画像データを記録メディア６５に記録するとともに、記録メディア６５に記録された画像データの読み出しを行う。なお、記録メディア６５は、例えば、カメラ本体１１に対して着脱自在に装填されるメモリカードである。
【００４６】
電源制御部６９には、バッテリ７０、ＤＣ／ＤＣコンバータ７１、および電源スイッチ７２が接続されており、バッテリ７０とＤＣ／ＤＣコンバータ７１とは、互いに接続されている。電源制御部６９は、電源スイッチ７２から入力される操作信号に応じてＯＮ／ＯＦＦされ、ＯＮ信号が入力された際に、ＤＣ／ＤＣコンバータ７１を制御し、バッテリ７０から供給される電圧を所定値まで降圧させて、カメラ本体１１内の各部へ供給させる。また、バッテリ７０は、マウント接点３１に接続されており、レンズユニット１２側にも電源供給を行う。
【００４７】
Ｉ／Ｏポート７３は、マウント接点３１に接続されプルアップされた入力端子と、マウント接点３１に接続された出力端子とからなる。Ｉ／Ｏポート７３の入力端子は、レンズユニット１２側の接地されたマウント接点３０と接続される。本体制御部６０は、Ｉ／Ｏポート７３の入力端子が接地電位となることで、レンズユニット１２の装着を検出する。
【００４８】
また、Ｉ／Ｏポート７３の出力端子は、レンズユニット１２側の電源制御部５５に接続されたマウント接点３０と接続される。本体制御部６０は、切り替えダイヤル２６の操作信号に応じて、Ｉ／Ｏポート７３の出力端子を介して電源制御信号を出力する。つまり、本体制御部６０は、レンズユニット１２の装着を検出し、かつ、切り替えダイヤル２６が撮影モードに設定されている場合には、電源制御部５５に電源制御信号を与え、ＤＣ／ＤＣコンバータ５６に給電を行わせる。一方、本体制御部６０は、レンズユニット１２の装着を検出したとしても、切り替えダイヤル２６が再生モードに設定されている場合には、電源制御部５５に電源制御信号を与えず、ＤＣ／ＤＣコンバータ５６に給電を行わせない。
【００４９】
シャッタボタン２５は、レンズユニット１２が装着された際に、マウント接点３０，３１を介して、ユニット制御部４０に接続されるとともに、本体制御部６０に接続されている。シャッタボタン２５は、半押しされた時にシャッタ信号Ｓ１を出力し、全押しされた時にシャッタ信号Ｓ２を出力する。ユニット制御部４０は、レンズユニット１２内の各部を制御し、シャッタ信号Ｓ１を受信した際に、ＡＦなどの撮影準備動作を行わせ、シャッタ信号Ｓ２を受信した際に、撮影動作を行わせ、撮影画像（記録用の画像データ）をカメラ本体１１へ出力する。カメラ本体１１は、撮影画像を受信すると、必要に応じて圧縮処理を施し、記録メディア６５に記録する。
【００５０】
ストロボ制御部７４は、前述のストロボ２４の発光量を制御する。撮影時においてストロボ発光が必要な場合、本体制御部６０は、シャッタボタン２５から入力されるシャッタ信号Ｓ２に応じて、ストロボ制御部７４を制御し、ストロボ２４に発光を行わせる。
【００５１】
次に、レンズユニット１２からカメラ本体１１への画像データの転送動作について、図６のフローチャートを参照しながら説明する。この転送動作は、スルー画が転送される場合、および撮影画像が転送される場合に実行される。
【００５２】
画像データの転送に際して、まず、カメラ本体１１の設定操作部（図示せず）によって設定されている転送データ形式（“ＹＣ”または“圧縮”）が、シリアル通信部６３，５４を介して、レンズユニット１２のユニット制御部４０に通知される。
【００５３】
ユニット制御部４０は、この転送データ形式の通知を受信し、ＲＡＭ４１ｂに格納された変換対象のＲＡＷデータに対して変換・転送効率の最もよいブロックサイズを決定する（このＲＡＷデータを分割するブロックサイズの決定方法については後述する）。また、ユニット制御部４０は、決定したブロックサイズを、シリアル通信部６３，５４を介して、予め、カメラ本体１１の本体制御部６０に通知しておく。
【００５４】
次いで、ＲＡＷデータは、上記ブロックサイズに基づいて分割され、デジタル信号処理部４７により、第１ブロックから順にデジタル信号処理が施され、転送データ形式に基づき、ＹＣデータまたは圧縮データに変換される。このとき、第１ブロックの変換処理が終了し、第２ブロックの変換処理を実行している間に、ユニット制御部４０はシリアル通信部５４を制御し、変換処理が完了した第１ブロックのデータをカメラ本体１１側のシリアル通信部６３にシリアル転送する。シリアル通信部６３は、転送された１ブロック分のデータを受信すると、これをメモリ部６１のＲＡＭ６１ｂにＤＭＡ転送する。
【００５５】
この後、同様に、第３ブロックの変換処理を実行している間に、変換処理が完了した第２ブロックをカメラ本体１１に転送するといった動作を繰り返し、最終のブロックの変換処理が完了し、このブロックをカメラ本体１１に転送すると転送動作が終了する。なお、カメラ本体１１は、レンズユニット１２から転送されたブロックを受信するたびに、これらのデータをメモリ部６１のＲＡＭ６１ｂにＤＭＡ転送する。なお、シリアル通信部６３は、レンズユニット１２から事前に通知されたブロックサイズに基づいてＤＭＡ転送を行う。
【００５６】
図７は、例えば、ＲＡＷデータが第１〜第３ブロックに３分割されて転送される様子を示している。デジタル信号処理部４７による第１ブロックの変換処理と、第２ブロックの変換処理との間には、所定の準備処理が要される。また、シリアル通信部５４，６３によるブロックデータの転送処理は、準備処理期間後に開始される。変換・転送対象のＲＡＷデータの総変換処理時間をＴ１、準備処理時間をＴ２、該ＲＡＷデータの総転送処理時間をＴ３とする。この場合、１ブロックの変換処理時間はＴ１／３、１ブロックの転送処理時間はＴ３／３であり、変換開始から転送終了までに要される時間（変換・転送時間）Ｔは、“Ｔ１＋３Ｔ２＋Ｔ３／３”となる。
【００５７】
ブロック分割数をｘとすると、変換・転送時間Ｔ＝“Ｔ１＋ｘＴ２＋Ｔ３／ｘ”となる。Ｔ１およびＴ３の値は、変換・転送対象のＲＡＷデータのサイズ、変換速度および転送速度に応じて決まる。Ｔ２の値は、システムに固有の値である。前述の図６のフローにおいて、ユニット制御部４０は、Ｔ１，Ｔ２，Ｔ３に基づき、変換・転送時間Ｔが最小となるブロック分割数ｘを算出してブロックサイズを決定する、ブロックサイズ決定手段として機能する。具体的に、図８に示すように、Ｔ１＝１０に対して、Ｔ２＝０．２、Ｔ３＝５とすると、変換・転送時間Ｔを最小とするブロック分割数ｘは、“５”となる。
【００５８】
以上のように、レンズユニット１２からカメラ本体１１へ画像データを転送する際に、画像データを複数のブロックに分割し、１つのブロックを変換（デジタル信号処理）しながら、変換が完了したブロックを転送することで、変換・転送時間を短縮することができる。また、転送する画像データのサイズに応じてブロックサイズを決定するようにすることで、変換・転送時間を可能な限り短縮することができる。
【００５９】
なお、上記実施形態では、ＲＡＷデータを、デジタル信号処理部４７によりＹＣデータまたは圧縮データに変換した後、カメラ本体１１へ転送するようにしているが、ＲＡＷデータを、デジタル信号処理部４７を介さずそのままカメラ本体１１へ転送するモードを設けてもよい。これにより、ユーザは、ＰＣなどに搭載された画像処理ソフトを用いて、ＲＡＷデータに好みのデジタル信号処理を施すことができる。
【００６０】
また、上記実施形態では、レンズユニット１２において、転送する画像データのサイズに応じてブロックサイズを決定するようにしているが、本発明はこれに限定されず、ブロックサイズを、カメラ本体１１でのＤＭＡ転送に適した大きさにしてもよい。図９のフローチャートは、これを例示するものであり、カメラ本体１１側からレンズユニット１２側に転送データ形式を通知するとともに、ＤＭＡ転送に適したブロックサイズの通知を行っている。その他は、図６と同様であるので説明は省略する。これにより、カメラ本体１１では、最適なブロックサイズでＤＭＡ転送が行われるので、処理の高速化が図られる。
【００６１】
また、上記実施形態では、レンズユニット１２とカメラ本体１１との間でデータ通信を行うデジタルカメラ１０を例に挙げて説明しているが、本発明はこれに限定されるものではなく、データを変換処理して転送するシステムであれば、いかなる電子機器システムにも適用可能である。また、このデータは、画像データに限られず、音楽データや文書データなどの他の電子データであってもよい。
【図面の簡単な説明】
【００６２】
【図１】デジタルカメラの構成を示す斜視図である。
【図２】レンズユニットの背面側の構成を示す平面図である。
【図３】カメラ本体のマウント部の構成を示す平面図である。
【図４】デジタルカメラの電気的構成を示すブロック図である。
【図５】デジタル信号処理部の構成を示すブロック図である。
【図６】レンズユニットからカメラ本体への画像データの転送動作を説明するフローチャートである。
【図７】３ブロックに分割された画像データの転送動作を示すタイミング図である。
【図８】画像データの変換・転送時間とブロック分割数との関係を例示するグラフである。
【図９】画像データの転送動作の変形例を示すフローチャートである。
【符号の説明】
【００６３】
１０  デジタルカメラ
１１  カメラ本体
１２  レンズユニット
４０  ユニット制御部
４１  メモリ部
４４  アナログ信号処理部
４５  Ａ／Ｄ変換器
４７  デジタル信号処理部
５２  ＹＣ変換部
５３  圧縮処理部
５４  シリアル通信部
６０  本体制御部
６１  メモリ部
６３  シリアル通信部
【図１】
2007142559.tif 000003
【図２】
2007142559.tif 000004
【図３】
2007142559.tif 000005
【図４】
2007142559.tif 000006
【図５】
2007142559.tif 000007
【図６】
2007142559.tif 000008
【図７】
2007142559.tif 000009
【図８】
2007142559.tif 000010
【図９】
2007142559.tif 000011